(57)【特許請求の範囲】
【請求項１】
周波数変調したＣＷ（Ｃｏｎｔｉｎｕｏｕｓ  Ｗａｖｅ）光を生成してパスに送信する送信部と、
前記パスに含まれる帯域フィルタを介した前記ＣＷ光を受信する受信部と、を備え、
前記受信部は、
前記周波数変調されたＣＷ光の中心周波数が前記送信部で変更されて送信される毎に、受信した前記ＣＷ光の光パワーを測定する測定部と、
前記測定部の測定結果として得られる前記ＣＷ光の中心周波数毎の前記光パワーの平均値と前記光パワーの変化量を示す振幅成分とに基づいて前記帯域フィルタを介した前記ＣＷ光の透過特性を算出する算出部と、を有する
ことを特徴とする光透過特性の測定装置。
【請求項２】
前記送信部は、
前記受信部から測定された光パワーの変化量を示す振幅成分の情報を受け取り、
前記振幅成分が大きい場合、前記周波数変調されたＣＷ光の中心周波数の変更幅を小さくし、
前記振幅成分が小さい場合、前記周波数変調されたＣＷ光の中心周波数の変更幅を大きくする、
ことを特徴とする請求項１に記載の測定装置。
【請求項３】
前記送信部は、
前記周波数変調にＦＭ（Ｆｒｅｑｕｅｎｃｙ  Ｍｏｄｅｒａｔｉｏｎ）変調波形を用い、
前記受信部は、
受信した前記ＦＭ変調波形に基づいて前記光パワーの変化量が正か負かを判定し、
前記判定結果が負である場合に、前記光パワーの変化量を反数とする
ことを特徴とする請求項１又は２に記載の測定装置。
【請求項４】
前記送信部は、
ＦＳＫ（Ｆｒｅｑｕｅｎｃｙ  Ｓｈｉｆｔ  Ｋｅｙｉｎｇ）変調周波数の光を送信する
ことを特徴とする請求項１に記載の測定装置。
【請求項５】
帯域フィルタを介したパスの光透過特性を測定する方法であって、
周波数変調したＣＷ（Ｃｏｎｔｉｎｕｏｕｓ  Ｗａｖｅ）光を生成して前記パスに送信し、
前記周波数変調されたＣＷ光の中心周波数が変更されて送信される毎に、前記パスを介して受信した前記ＣＷ光パワーを測定し、
測定した結果として得られる前記ＣＷ光の中心周波数毎の前記光パワーの平均値と前記光パワーの変化量を示す振幅成分とに基づいて、前記帯域フィルタを介した前記ＣＷ光の透過特性を算出する
ことを特徴とする光透過特性の測定方法。
【請求項６】
測定された光パワーの変化量を示す前記振幅成分の値が大きい場合、前記周波数変調されたＣＷ光の中心周波数の変更幅を小さくし、
前記振幅成分の値が小さい場合、前記周波数変調されたＣＷ光の中心周波数の変更幅を大きくする
ことを特徴とする請求項５に記載の測定方法。
【請求項７】
前記周波数変調にＦＭ（Ｆｒｅｑｕｅｎｃｙ  Ｍｏｄｅｒａｔｉｏｎ）変調波形を用い、
前記帯域フィルタを介した後のＦＭ変調波形に基づいて前記光パワーの変化量が正か負かを判定し、
前記光パワーの変化量が負の値である場合に、前記光パワーの変化量の値を反数とする
ことを特徴とする請求項５に記載の測定方法。
【請求項８】
ＦＳＫ（Ｆｒｅｑｕｅｎｃｙ  Ｓｈｉｆｔ  Ｋｅｙｉｎｇ）変調周波数の光を送信する
ことを特徴とする請求項５に記載の測定方法。
【発明の詳細な説明】
【技術分野】
【０００１】
本発明は、光透過特性の測定に関する。
【背景技術】
【０００２】
波長多重通信（Ｗａｖｅｌｅｎｇｔｈ  Ｄｉｖｉｓｉｏｎ  Ｍｕｌｔｉｐｌｅｘ）とは、１つの光ファイバに複数の異なる波長の光主信号を同時に乗せることによる、高速且つ大容量の通信手段である。この波長多重通信とパス管理の技術を組み合わせた、高速且つ大容量の伝送ネットワークを運用する技術として、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）が知られている。ＲＯＡＤＭは、再構成が可能な光主信号の分岐、挿入を行う多重化システムである。ＲＯＡＤＭシステムでは、ＩＰ（Ｉｎｔｅｒｎｅｔ  Ｐｒｏｔｏｃｏｌ）ネットワークと接続するＲＯＡＤＭノードを、光ファイバでリング状につなぐ。各ＲＯＡＤＭノードでは、波長多重された光主信号から任意の波長の光主信号を取り出せ、逆に任意の波長の光が混ぜられる。このおかげで、電気信号に変換せずに、パスのフレームを取り出せるので、高速な伝送速度を保ったまま、柔軟なパス管理ができる。
【０００３】
ＲＯＡＤＭノードは、入力された光主信号を、波長ごとに異なる出力ポートに出力可能なＷＳＳ（Ｗａｖｅｌｅｎｇｔｈ  Ｓｅｌｅｃｔｉｖｅ  Ｓｗｉｔｃｈ）機能を備える。各ＲＯＡＤＭノードにおいてＷＳＳ（波長選択）が行われると、光主信号における伝送パス透過帯域が狭くなるＰＢＮ（ＰａｓｓＢａｎｄ  Ｎａｒｒｏｗｉｎｇ）が発生する。
【０００４】
ＰＢＮの発生による光の透過特性は、伝送路内の経路（パス）によって異なる。又、マルチベンダのネットワークでの光の透過特性も未知であり、光主信号の品質が劣化する可能性もある。複数のパスにおける透過特性を予め測定しておくことで、光主信号の品質劣化などを回避できる。なお、透過特性は、伝送路を通して透過された光のパワー損失から求めることができる。
【０００５】
光多重伝送システムにおいて、送信側と受信側での波長の誤差を評価する技術が知られている。処理部は、データ取得のタイミング基準とする同期信号を用いて、受信器で変換された電気信号から強度変化成分を抽出して時間波形とする。波形評価部は、時間波形に基づいて送信側から受信側の伝送により生じた光波長のずれ方向とずれ量を算出する（例えば、特許文献１を参照）。
【０００６】
波長可変光フィルタの透過波長帯をモニタする方法が知られている。光波長多重システムにおいてＷＳＳなどの可変波長フィルタの透過波長特性が適切に制御されえているかをモニタする技術が知られている。光信号光自体に周波数変調をかけ、被測定光フィルタの入出力パワーを、可変バンドパスフィルタを介して測定し、両モニタ結果より可変波長フィルタの透過波長特性を求める（例えば、特許文献２を参照）。
【先行技術文献】
【特許文献】
【０００７】
【特許文献１】特開２００４−３６４０３３号公報
【特許文献２】特開２０１４−１４３６１４号公報
【発明の概要】
【発明が解決しようとする課題】
【０００８】
光主信号における伝送パス透過帯域を測定する場合、送信（光源）側は、例えば、ＣＷ（Ｃｏｎｔｉｎｕｏｕｓ  Ｗａｖｅ）光の中心周波数を、測定対象の周波数帯域でスイープさせる。受信側は、ＣＷ光の中心周波数毎に、伝送されてきたＣＷ光のパワー損失を測定し、伝送パスの透過特性を求めることができる。
【０００９】
ここで、送信側で中心周波数を細かく変更していき、その度に受信側で透過特性を求めることで、透過特性を精度高く測定できる。一方、中心周波数を細かく変更しつつ透過特性を求めることで、測定時間が長くなるという問題がある。
【００１０】
また、送信側で中心周波数の変更幅を大きくし、変更毎に受信側で透過特性を求めることで、測定時間を短くできる。しかしこの場合は、測定時間は短くなるものの、透過特性の精度が下がってしまうという問題があった。
【００１１】
本発明は１つの側面において、測定回数を抑え、短時間で精度良く光透過特性を求めることを目的とする。
【課題を解決するための手段】
【００１２】
送信部は、周波数変調したＣＷ光を生成してパスに送信する。受信部は、パスに含まれる帯域フィルタを介したＣＷ光を受信する。受信部は、測定部と算出部を含む。測定部は、ＣＷ光の中心周波数が送信部で変更されて送信される毎に、受信したＣＷ光の光パワーを測定する。算出部は、測定部の測定結果として得られるＣＷ光の中心周波数に対応した光パワーの平均値と光パワーの変化量を示す振幅成分に基づいて帯域フィルタを介したＣＷ光の透過特性を算出する。
【発明の効果】
【００１３】
本発明によれば、測定回数を抑え、短時間で精度良く光透過特性を求めることができる。
【図面の簡単な説明】
【００１４】
【図１】ＰＢＮが発生する１００Ｇシステムの例を説明する図である。
【図２】ＰＢＮが発生する４００Ｇシステムの例を説明する図である。
【図３】本実施形態に係る透過特性の測定方法の例を説明する図である。
【図４】本実施形態に係る透過特性の算出方法の例を説明する図である。
【図５】本実施形態に係る測定装置の構成の例を説明する図である。
【図６】測定部及び算出部の処理の例を説明する図（その１）である。
【図７】測定部及び算出部の処理の例を説明する図（その２）である。
【図８】送信部及び受信部のハードウェア構成の例を示す。
【図９】本実施形態に係る送信部と受信部の処理の例を説明するフローチャートである。
【図１０】光周波数制御部の処理の例を説明する図である。
【図１１】別の実施形態に係るＰＢＮモニタの構成の例を説明する図である。
【図１２】ＦＳＫ変調周波数を用いた測定装置の処理の例を説明する図である。
【図１３】ＦＳＫ変調周波数を用いた測定装置の処理の例を説明するフローチャートである。
【発明を実施するための形態】
【００１５】
ＰＢＮの発生による光の透過特性は、伝送路内の経路（パス）によって異なる。又、マルチベンダのネットワークでの光の透過特性も未知であり、光主信号の品質が劣化する可能性もある。複数のパスにおける透過特性を予め測定しておくことで、光主信号の品質劣化などを回避できる。
【００１６】
光主信号における伝送パス透過帯域を測定する場合、送信（光源）側は、例えば、ＣＷ光の中心周波数を、測定対象の周波数帯域でスイープさせる。受信側は、ＣＷ光の中心周波数毎に、伝送されてきたＣＷ光のパワー損失を測定し、伝送パスの透過特性を求めることができる。
【００１７】
ここで、送信側で中心周波数を細かく変更していき、その度に受信側で透過特性を求めることで、透過特性を精度高く測定できる。一方、中心周波数を細かく変更しつつ透過特性を求めることで、測定時間が長くなるという問題がある。
【００１８】
また、送信側で中心周波数の変更幅を大きくし、変更毎に受信側で透過特性を求めることで、測定時間を短くできる。しかしこの場合は、測定時間は短くなるものの、透過特性の精度が下がってしまうという問題があった。
【００１９】
そこで本実施形態に係る測定装置は、送信部と受信部を備える。送信部は、周波数変調したＣＷ光を生成してパスに送信する。受信部は、パスに含まれる帯域フィルタを介したＣＷ光を受信する。受信部は、測定部と算出部を含む。測定部は、ＣＷ光の中心周波数が送信部で変更されて送信される毎に、受信したＣＷ光の光パワーを測定する。算出部は、測定部の測定結果として得られるＣＷ光の中心周波数に対応した光パワーの平均値と光パワーの変化量を示す振幅成分に基づいて帯域フィルタを介したＣＷ光の透過特性を算出する。
【００２０】
本実施形態に係る光透過特性の測定装置を用いることで、測定回数を抑え、短時間で精度良く光透過特性を測定することができる。
【００２１】
以下、図面を参照しながら、実施形態を詳細に説明する。
図１は、ＰＢＮが発生する１００Ｇシステムの例を説明する図である。光主信号部１０１は、１００Ｇｂｐｓの周波数帯のＣＷ光を生成する。波長多重部１０２は、光主信号１０１に含まれる複数の波長のＣＷ光を纏めて伝送路側に送信する。波長多重部１０２から送信されたＣＷ光は、複数のＲＯＡＤＭノード１１０ａ〜１１０ｎを経由して送信される。各ＲＯＡＤＭ１１０ａ〜１１０ｎは、ネットワークで接続されている。なお、ＲＯＡＤＭ１１０ａ〜１１０ｎは、システム内のＲＯＡＤＭノードの数を限定するものではない。各ＲＯＡＤＭノード１１０は、受信機（Ｒｘ：Ｒｅｃｅｉｖｅｒ）１１１と送信機（Ｔｘ：Ｔｒａｎｓｍｉｔｔｅｒ）１１２を備える。受信機１１１は、波長多重された光主信号からＲＯＡＤＭノード１１１が分岐（Ｄｒｏｐ）して取得した任意の波長の光信号を取得する。送信機１１２は、半導体レーザと外部変調器を備える。送信機１１２は、ＣＷ光を出力光とし、波長多重された光主信号に対して任意の波長の光を混ぜる（Ａｄｄ）ことができる。
【００２２】
各ＲＯＡＤＭノード１１０では受信機１１１と送信機１１２を利用した波長選択が行われ、その後、該ＲＯＡＤＭノード１１０は次のＲＯＡＤＭノード１１０に該ＣＷ光を送信する。この波長選択（ＷＳＳ）の処理は、ネットワーク制御装置１０３により制御される。
【００２３】
ここで、光主信号部から出力された光主信号は、ＲＯＡＤＭノード１１０ａ〜１１０ｎを経由していくごとに、光主信号における伝送パス透過帯域が狭くなる（ＰＢＮ）。例えば、光主信号部１０１で出力された１００Ｇｂｐｓの光主信号の波形を、波形例１２０に示す。波形例１２０において、縦軸は、光パワーであり、横軸は、光の周波数である。光主信号部１０１から送信された光主信号は、ＲＯＡＤＭノード１１０を経由していくごとに、ＰＢＮが発生し、波形例１２１の斜線部のように、光パワーの強い部分の周りの周波数帯が狭窄されていく。なお、周波数帯の狭窄は、経由するＲＯＡＤＭノード１１０の数により影響を受け、波形例１２２のようになる。波形例１２２の波形では、波形例１２０の元の光主信号の光パワーが強い波形の端の部分の周波数においても狭窄されており、該主信号の品質は大きく損なわれてしまっている。そのため、ＰＢＮにおける周波数帯の狭窄は、光主信号の透過特性を低下させてしまい、光主信号の劣化をさせてしまう。
【００２４】
図２は、ＰＢＮが発生する４００Ｇシステムの例を説明する図である。図２のシステム構成の例において、図１のシステム構成と同じものには、同じ番号を付す。図２の光主信号部１０１は、４００Ｇｂｐｓの周波数帯のＣＷ光を生成する。
【００２５】
例えば、光主信号部１０１が生成する４００Ｇｂｐｓのサブキャリア光主信号の例を、波形例１３０に示す。波形例１３０において、縦軸は、光パワーであり、横軸は、光の周波数である。光主信号部１０１から送信されたサブキャリア光主信号は、ＲＯＡＤＭノード１１０を経由していくごとに、ＰＢＮが発生し、波形例１３１の斜線部のように、両側のサブキャリア部分の周波数帯が狭窄されていく。なお、周波数帯の狭窄は、経由するＲＯＡＤＭノード１１０の数により影響を受け、波形例１３１のようになる。波形例１３２の波形では、波形例１３０の元の光主信号の両側のサブキャリア部分の周波数帯が狭窄されており、該両側サブキャリアの品質は大きく損なわれてしまっている。そのため、ＰＢＮにおける周波数帯の狭窄は、ＣＷ光の透過特性を低下させてしまい、光主信号の劣化をさせてしまう。
【００２６】
図１の波形例１２２と図２の波形例１３２のように、光主信号が複数のＲＯＡＤＭノード１１０を経由することで、光の透過特性は低下してしまう。そのため、予め透過特性を測定しておき、光主信号の品質劣化を予め把握しておくことが重要である。透過特性を測定する場合、例えば、ＣＷ光の中心周波数を変更していき全ての周波数において受信側で光パワーを測定することができる。しかし、ＣＷ光の中心周波数を細かく変更していく場合、受信側での光パワーの測定時間は増えてしまうという問題がある。一方、送信側で中心周波数の変更幅を大きくし、変更毎に受信側で透過特性を求めることで、測定時間を短くできる。しかしこの場合は、測定時間は短くなるものの、透過特性の精度が下がってしまうという問題があった。
【００２７】
そこで、本実施形態では、伝送パスにおける光の透過特性を容易に測定でき、測定時間を短縮することができる測定装置を実現する。
【００２８】
図３は、本実施形態に係る透過特性の測定方法の例を説明する図である。本実施形態に係る測定装置２００は、送信部２０１と、複数のＲＯＡＤＭノード２０２を含む伝送路２０４と、受信部２０３を備える。送信部２０１は、ＣＷ光を出す光源と、ＣＷ光を変調する変調部を備える。送信部２０１は、光源からのＣＷ光を変調し、複数のＲＯＡＤＭノード２０２を含む伝送路２０４に送信する。波形例２１０は、周波数変調されたＣＷ光の例である。波形例２１０は、光周波数（ｘ軸）、光パワー（ｙ軸）、時間（ｚ軸）の関係を示した図である。波形例２１０は、時間と共に所定の周波数の範囲（Δｆ）で周波数変動し、光パワーは所定の値から変化しないＣＷ光である。なお、Δｆは、小さい値でよい。なお、送信部２０１は、ＲＯＡＤＭノードの送信機（Ｔｘ）に該当する。
【００２９】
送信部２０１からの周波数変調されたＣＷ光は、複数のＲＯＡＤＭノード２０２を含む伝送路２０４を介して受信部２０３に送信される。伝送路２０４は、透過特性を測定される対象である複数のＲＯＡＤＭノードを含む伝送路である。
【００３０】
受信部２０３は、伝送路によりＰＢＮが発生した後のＣＷ光を受信する。受信部２０３では、ＰＢＮが発生した後のＣＷ光の透過特性を測定するために、受信したＣＷ光の光パワーと周波数を測定する。波形例２２０ａは、伝送路204に透過した周波数変調されたＣＷ光の例である。波形例２２０ａは、時間（ｘ軸）、光パワー（ｙ軸）、光周波数（ｚ軸）の関係を示した図である。波形例２２０ａでは、所定の周波数の範囲（Δｆ）で変動する周波数成分と、伝送路２０４を介して損失された光パワーとを対応付けて示している。波形例２２０ｂは、波形例２２０ａから、光パワーの成分（ｙ軸）を時間（ｘ軸）と対応して示した図である。すると、光パワーは、時間と共に変動して測定されている。以下において、光パワーの変動幅を「ΔＰ」、光パワーの平均値を「ＰＡＶ」と記載する。なお、受信部２０３は、ＲＯＡＤＭノードの受信機（Ｒｘ）に該当する。
【００３１】
上述したように送信部２０１から周波数変調されたＣＷ光が送信されると、受信部２０３は、該ＣＷ光の光パワーを測定する。その後、送信部２０１は、送信するＣＷ光の中心周波数を変更しつつ、変調したＣＷ光を測定対象の伝送路側に送信する。受信部２０３は、中心周波数が変更される毎にＣＷ光の光パワーを測定する。例えば、送信部２０１において中心周波数は、ｆ１、ｆ２、ｆ３、ｆ４のように変更される。受信部２０３は、中心周波数毎の光パワーを用いて透過特性を算出し予測する。
【００３２】
図４は、本実施形態に係る透過特性の算出方法の例を説明する図である。例えば、送信部２０１は、中心周波数ｆ１のＣＷ光に対して周波数変調量Δｆを変調させたＣＷ光を送信する。受信部２０３は、周波数変調されたＣＷ光の光パワーを測定する。続いて、送信部２０１は、中心周波数ｆ２のＣＷ光に対して周波数変調量Δｆを変調させたＣＷ光を送信する。受信部２０３は、周波数変調されたＣＷ光の光パワーを測定する。送信部２０１は、中心周波数ｆ３のＣＷ光に対して周波数変調量Δｆを変調させたＣＷ光を送信する。受信部２０３は、周波数変調されたＣＷ光の光パワーを測定する。送信部２０１は、中心周波数ｆ４のＣＷ光に対して周波数変調量Δｆを変調させたＣＷ光を送信する。受信部２０３は、周波数変調されたＣＷ光の光パワーを測定する。
【００３３】
周波数変調された中心周波数ｆ１〜ｆ４のＣＷ光は、伝送路を通ることでパワー損失が起こり、波形例２２０ｂに示すように光パワーの振幅成分ΔＰを持つ。図４は、中心周波数ｆ１の光パワーの透過特性を波２３０ａと波２４０ａの例で示す。波２３０ａの光パワーの最大値と波２４０aの光パワーの最大値の差分が中心周波数ｆ１の光パワーの振幅成分ΔＰ（ｙ軸）である。なお、波２３０ａと波２４０ａとは、周波数変調量Δｆ分の周波数が異なる。
【００３４】
中心周波数ｆ２の光パワーの透過特性を波２３０ｂと波２４０ｂの例で示す。波２３０ｂの光パワーの最大値と波２４０ｂの光パワーの最大値の差分が中心周波数ｆ２の光パワーの振幅成分ΔＰである。ここで、中心周波数ｆ２の光パワーの振幅成分ΔＰは、０である。なお、波２３０ｂと波２４０ｂとは、周波数変調量Δｆ分の周波数が異なる。
【００３５】
中心周波数ｆ３の光パワーの透過特性を波２３０ｃと波２４０ｃの例で示す。波２３０ｃの光パワーの最大値と波２４０ｃの光パワーの最大値の差分が中心周波数ｆ３の光パワーの振幅成分ΔＰである。ここで、中心周波数ｆ３の光パワーの振幅成分ΔＰは、０である。なお、波２３０ｃと波２４０ｃとは、周波数変調量Δｆ分の周波数が異なる。
【００３６】
中心周波数ｆ４の光パワーの透過特性を波２３０ｄと波２４０ｄの例で示す。波２３０ｄの光パワーの最大値と波２４０ｄの光パワーの最大値の差分が中心周波数ｆ４の光パワーの振幅成分ΔＰ（ｙ軸）である。なお、波２３０ｄと波２４０ｄとは、周波数変調量Δｆ分の周波数が異なる。
【００３７】
中心周波数ｆ１、ｆ２、ｆ３、ｆ４のＣＷ光の光パワーの情報による透過特性は、各中心周波数間の光パワーの情報が不足しており、透過特性の精度が低い。そのため、中心周波数間の光パワーの情報を補間することが求められる。
【００３８】
本実施形態に係る受信部は、中心周波数ｆ１、ｆ２、ｆ３、ｆ４間の光パワーを算出し補間する。例えば、中心周波数ｆ１（ｆｎ）と中心周波数ｆ２（ｆｎ＋１）との間の光パワーを、以下の式１〜式５を用いて算出する。
【００３９】
【数１】
0006547512.tif 000002
【００４０】
【数２】
0006547512.tif 000003
【００４１】
光パワーの平均値ＰＡＶは、受信したＣＷ光から測定して得られる。式１では、光パワーの平均値ＰＡＶを３次関数（ａｆ３＋ｂｆ２＋ｃｆ＋ｄ）と仮定している。なお、３次関数のａ、ｂ、ｃ、ｄは、この時点では不明な値である。中心周波数ｆ１（ｆｎ）と中心周波数ｆ２（ｆｎ＋１）との間の光パワーを求める場合、式１は、中心周波数ｆ１と中心周波数ｆ２とに対応して生成される。
【００４２】
光透過特性の傾きを示すΔＰ／Δｆは、受信したＣＷ光から測定して得られる。ここで、光透過特性の傾きを示すΔＰ／Δｆは、透過特性Ｓ（ｆ）を微分して求められる値Ｓ´（ｆ）とも言える。式２では、光透過特性の傾きを２次関数（３ａｆ２＋２ｂｆ＋ｃ）と仮定している。２次関数のａ、ｂ、ｃは、この時点では不明な値である。中心周波数ｆ１（ｆｎ）と中心周波数ｆ２（ｆｎ＋１）との間の光パワーを求める場合、式２は、中心周波数ｆ１と中心周波数ｆ２とに対応して生成される。
【００４３】
式１と式２を組み合わせることで、ａ、ｂ、ｃ、ｄの値を算出することができる。式１と式２を組み合わせる場合、例えば、下の式３に示すような行列の方程式となる。
【００４４】
【数３】
0006547512.tif 000004
【００４５】
ａ、ｂ、ｃ、ｄの値が算出されると、中心周波数ｆ１（ｆｎ）と中心周波数ｆ２（ｆｎ＋１）との間の光パワーを下の式４で表すことができる。中心周波数ｆ１（ｆｎ）と中心周波数ｆ２（ｆｎ＋１）との間の各周波数を式４に代入することで、中心周波数ｆ１（ｆｎ）と中心周波数ｆ２（ｆｎ＋１）との間の透過特性を補間できる。
【００４６】
【数４】
0006547512.tif 000005
【００４７】
その結果、本実施形態に係る正規化した伝送路の透過特性は、式５で表すこともできる。
【００４８】
【数５】
0006547512.tif 000006
【００４９】
このように、中心周波数ｆ１（ｆｎ）と中心周波数ｆ２（ｆｎ＋１）の２点間の光パワーの周波数変調幅Δｆあたりの振幅成分ΔＰと、光パワーの平均値とから、中心周波数ｆ１（ｆｎ）と中心周波数ｆ２（ｆｎ＋１）との間の透過特性を算出できる。すると、該２点間の周波数帯の光パワーを測定する手間を省くことができる。そのため、本実施形態に係る透過特性の算出方法を用いることで、測定回数を抑え、短時間で精度良く光透過特性を求めることができる。同様の処理を、中心周波数ｆ２と中心周波数ｆ３、中心周波数ｆ３と中心周波数ｆ４などの２点間で繰り返すことで、図４に示すような透過特性の結果を得ることができる。
【００５０】
上述した式１〜式５を用いた透過特性の算出方法では、中心周波数の２点間の透過特性を夫々算出している。しかし、式１〜式５を用いた透過特性の算出方法は、透過特性を算出する中心周波数の数を限定するものではない。例えば、中心周波数を３点用いて、３点間の透過特性を算出してもよい。例えば、中心周波数ｆ１（ｆｎ）と中心周波数ｆ２（ｆｎ＋１）と中心周波数ｆ３（ｆｎ＋２）の３点間の光パワーを、以下の式６〜式１０を用いて算出できる。
【００５１】
【数６】
0006547512.tif 000007
【００５２】
【数７】
0006547512.tif 000008
【００５３】
光パワーの平均値ＰＡＶは、受信したＣＷ光から測定して得られる。式６では、光パワーの平均値ＰＡＶを５次関数（ａｆ５＋ｂｆ４＋ｃｆ３＋ｄｆ２＋ｅｆ＋ｇ）と仮定している。なお、５次関数のａ、ｂ、ｃ、ｄ、ｅ、ｇは、この時点では不明な値である。中心周波数ｆ１（ｆｎ）と中心周波数ｆ２（ｆｎ＋１）と中心周波数ｆ３（ｆｎ＋２）の３点間の光パワーを求める場合、式６は、中心周波数ｆ１（ｆｎ）と中心周波数ｆ２（ｆｎ＋１）と中心周波数ｆ３（ｆｎ＋２）とに対応して生成される。
【００５４】
光パワーの傾きを示すΔＰ／Δｆは、受信したＣＷ光から測定して得られる。光パワーの傾きを示すΔＰ／Δｆは、透過特性Ｓ（ｆ）を微分して求められる値とも言える。式７では、光パワーの傾きを４次関数（５ａｆ４＋４ｂｆ３＋３ｃｆ２＋２ｄｆ＋ｅ）と仮定している。４次関数のａ、ｂ、ｃ、ｄ、ｅは、この時点では不明な値である。中心周波数ｆ１（ｆｎ）と中心周波数ｆ２（ｆｎ＋１）と中心周波数ｆ３（ｆｎ＋２）の３点間の光パワーを求める場合、式７は、中心周波数ｆ１（ｆｎ）と中心周波数ｆ２（ｆｎ＋１）と中心周波数ｆ３（ｆｎ＋２）とに対応して生成される。
【００５５】
式６と式７を組み合わせることで、ａ、ｂ、ｃ、ｄ、ｅ、ｇの値を算出することができる。式６と式７を組み合わせる場合、例えば、下の式８に示すような行列の方程式となる。
【００５６】
【数８】
0006547512.tif 000009
【００５７】
ａ、ｂ、ｃ、ｄ、ｅ、ｇの値が算出されると、中心周波数ｆ１（ｆｎ）と中心周波数ｆ２（ｆｎ＋１）と中心周波数ｆ３（ｆｎ＋２）との間の光パワーを下の式９で表すことができる。中心周波数ｆ１（ｆｎ）と中心周波数ｆ２（ｆｎ＋１）と中心周波数ｆ３（ｆｎ＋２）との間の各周波数を式９に代入することで、中心周波数ｆ１（ｆｎ）と中心周波数ｆ２（ｆｎ＋１）と中心周波数ｆ３（ｆｎ＋２）の間の透過特性を補間できる。
【００５８】
【数９】
0006547512.tif 000010
【００５９】
その結果、本実施形態に係る正規化した伝送路の透過特性は、式１０で表すことができる。
【００６０】
【数１０】
0006547512.tif 000011
【００６１】
このように、中心周波数ｆ１（ｆｎ）〜ｆ３（ｆｎ＋２）の３点間の光パワーの周波数変調幅Δｆあたりの振幅成分ΔＰと、光パワーの平均値とから、中心周波数ｆ１（ｆｎ）〜中心周波数ｆ３（ｆｎ＋２）の間の透過特性を算出できる。すると、該３点間の周波数帯の光パワーを測定する手間を省くことができる。そのため、本実施形態に係る透過特性の算出方法を用いることで、測定回数を抑え、短時間で精度良く光透過特性を求めることができる。同様の処理を、中心周波数ｆ２と中心周波数ｆ３と中心周波数ｆ４などの３点間で繰り返すことで、図４に示すような透過特性の結果を得ることができる。
【００６２】
図５は、本実施形態に係る測定装置の構成の例を説明する図である。ＲＯＡＤＭシステムにおいて、ＷＤＭ送信装置３０１は、光信号を送信し、ＲＯＡＤＭノード３１０を介して何れかの装置又はノードなどに光信号を伝達させる。ＷＤＭ送信装置３０１aからの光信号は、例えばＲＯＡＤＭノード３１０ａの受信機（Ｒｘ）３１１ａでＤｒｏｐされる。又、ＷＤＭ送信装置３０１ａから送信された光信号は、ＷＸＣ（Ｗａｖｅｌｅｎｇｔｈ  Ｃｒｏｓｓ  Ｃｏｎｎｅｃｔ）／ＰＸＣ（Ｐｈｏｔｏｎｉｃ  Ｃｒｏｓｓ  Ｃｏｎｎｅｃｔ）３６０に送られてもよい。ＷＸＣ／ＰＸＣ３６０は、ＷＳＳを用いて波長単位でクロスコネクトする技術であり、例えば、ＷＤＭネットワーク上でトラフィック変化に合わせて光パスの設定をする。これにより、ＷＸＣ／ＰＸＣ３６０は、ＷＤＭ送信装置３０１からの光信号を他のＲＯＡＤＭノード３１０に送信することができる。
【００６３】
本実施形態に係る測定装置３５０は、送信部３２０と受信部３３０を備える。図５の例において、測定装置３５０は、ＲＯＡＤＭノード３１０ｂ、ＷＰＣ／ＰＸＣ３２０、ＲＯＡＤＭノード３１０ｃを介したＣＷ光の透過特性を算出する。以下、送信部３２０から出されたＣＷ光が経由するＲＯＡＤＭノード３１０ｂ、ＷＰＣ／ＰＸＣ３２０、ＲＯＡＤＭノード３１０ｃから受信部３３０までの経路を、測定対象の伝送路と称す。
【００６４】
本実施形態に係る測定装置３５０の送信部３２０として、測定対象の伝送路内のＲＯＡＤＭノード３１０ｂの送信機（Ｔｘ）が使用される。送信部３２０内の光周波数制御部３２４は、ＣＷ光源３２３から出力される光の周波数を制御する。ＣＷ光源３２３は、光周波数制御部３２４が指定した周波数のＣＷ光を出力する。周波数変調部３２２は、ＣＷ光源３２３から出力されたＣＷ光を周波数変調する。その後、偏波変調部３２１は、ＣＷ光を偏波変調する。
【００６５】
周波数変調されたＣＷ光は、送信部３２０から測定対象の伝送路を介して受信部３３０に送信される。なお、ＷＸＣ／ＰＸＣ３６０を介して送信されてきたＣＷ光は、ＲＯＡＤＭ３１０ｃのＷＳＳ機能によりＤｒｏｐされて受信部３３０に送られる。受信部３３０において、光バンドパスフィルタ３３１は、受信したＣＷ光の内の特定の波長帯の光を透過する。フォトダイオード３３２は、光バンドパスフィルタ３３１を透過したＣＷ光の光パワーを検出する。ＡＤ（Ａｎａｌｏｇ  Ｄｉｇｉｔａｌ）変換部３３３は、光信号であるＣＷ光の光パワーを表す電気信号を、アナログ信号からデジタル信号に変換する。ＡＤ変換部３３３でデジタル信号に置き換えられた光信号は、ＡＣ成分抽出部３３５とＤＣ成分抽出部３３４で夫々の成分に分けられる。ＡＣ成分抽出部３３５は、ＣＷ光からＡＣ成分を抽出する。抽出されるＡＣ成分は、光パワーの振幅成分ΔＰ（又は傾きΔＰ／Δｆ）である。ＤＣ成分抽出部３３４は、ＣＷ光からＤＣ成分を抽出する。抽出されるＤＣ成分は、光パワーの平均値である。測定部３３６は、ＡＣ成分抽出部３３５とＤＣ成分抽出部３３４から抽出された光パワーの平均値と光パワーの振幅成分ΔＰと周波数成分を測定する。算出部３３７は、測定部３３６で測定された光パワーと周波数と、図４の式１〜式１０などの計算式を用いて、透過特性を算出する。通知部３３８は、透過特性の結果などを送信部３２０側に通知する。
【００６６】
本実施形態に係る透過特性の算出方法を用いた測定装置を導入することで、測定回数を抑え、短時間で精度良く光透過特性を求めることができる。更に、伝送路の透過特性の測定を行うことで、信号品質に影響を与えないように最適な周波数配置や最適な主信号スペクトル形状などを把握し設定することができる。また、本実施形態に係る光の透過特性方法を実施することで、伝送路の透過特性の測定を簡易で低コストに実現できる。
【００６７】
図６は、測定部及び算出部の処理の例を説明する図（その１）である。図６の例では、Ｐ１〜Ｐ６の６箇所の中心周波数の光パワーを測定し、透過特性例４１０のような相対周波数に応じた透過特性を得ようとする。実際にフォトダイオード３３２で取得できるＳ´１（ΔＰ１／Δｆ）〜Ｓ´６（ΔＰ６／Δｆ）の例を、透過特性スロープ例４２０で示す。
【００６８】
ここで、実際にフォトダイオード３３２で検出されたＣＷ光の光パワーを測定部３３６が測定する場合、光パワーの振幅成分であるΔＰは正数である。同様に、透過特性における傾きを示すΔＰ／Δｆは、正数である。そのため、透過特性スロープ例４２０のように、全ての相対周波数において、Ｓ´１（ΔＰ１／Δｆ）〜Ｓ´６（ΔＰ６／Δｆ）が正となっている。なお、透過特性スロープ例４２０は、縦軸が透過特性スロープ（傾き）の大きさを示し、横軸が周波数ｆを示す。すると、算出部３３７は、Ｐ５とＰ６における傾きが減少傾向にあるか増加傾向にあるか判定できず、式２、式７を用いた正しい透過特性の算出ができなくなる。
【００６９】
そのため、本実施形態に係る測定装置では、正しい透過特性を算出するためにＣＷ光にＦＭ（Ｆｒｅｑｕｅｎｃｙ  Ｍｏｄｅｒａｔｉｏｎ）変調波形を用いた変調をする。なお、ＣＷ光源３２３は、自身が出力するＣＷ光をＦＭ変調する機能を備えるものとする。ＦＭ変調波形は、ＦＭ変調波形例４４０に示すような波であり、ｆＨ〜ｆＬの周波数幅を持つ。ここで、ｆＨ〜ｆＬの周波数の差分がΔｆである。
【００７０】
送信部３２０のＣＷ光源３２３は、ＦＭ変調波形例４４０の波が重畳されたＣＷ光を出力する。周波数変調部３２３は、ＣＷ光の周波数変調をする（中心周波数を制御する）。その後、該ＣＷ光は伝送路を介して受信部３３０に送信される。すると、受信部３３０のＡＤ変換部３３３では、ＣＷ光からＦＭ変調波形例４５０又はＦＭ変調波形例４６０が得られる。ＦＭ変調波形例４５０は、ＦＭ変調波形例４４０の波が伝送路を介して送信された後にも波形に変わりがない場合の例である。一方、ＦＭ変調波形例４６０は、伝送路を介して送信された結果、ＦＭ変調波形例４４０のｆＨ〜ｆＬの周波数を持つ波が反転している。ＦＭ変調波形例４５０は、Ｓ´１（ΔＰ１／Δｆ）〜Ｓ´３（ΔＰ３／Δｆ）の場合に得られる波形である。そのため、算出部３３７は、ＦＭ変調波形例４５０の場合、ΔＰは正数であるとして透過特性を算出する。算出部３３７の算出結果、透過特性は透過特性スロープ例４２０のＳ´１〜Ｓ´３と同じで透過特性スロープ例４３０Ｓ´１〜Ｓ´３のようになる。
【００７１】
一方、ＦＭ変調波形例４６０は、Ｓ´４（ΔＰ４／Δｆ）〜Ｓ´６（ΔＰ６／Δｆ）の場合に得られる波形である。算出部３３７は、ＦＭ変調波形例４６０の場合、ΔＰは負の数であるとして透過特性を算出する。算出部３３７の算出結果、透過特性は透過特性スロープ例４２０のＳ´４〜Ｓ´６の値に反数処理をし、透過特性スロープ例４３０のＳ´４〜Ｓ´６とする。
【００７２】
このようにフォトダイオード３３２は、検出するＣＷ光の光パワーは正数であるが、ＣＷ光にＦＭ変調波形を変調し、受信部が受信するＦＭ変調波形が反転しているかを判定することで、ΔＰが正か負であるかを判定できる。
【００７３】
なお、別の実施形態で反数処理をする箇所を特定してもよい。例えば、Ｐ１〜Ｐ６について、夫々隣接する光パワーを比較する。Ｐ１とＰ２などの隣接する箇所の光パワーを比較した場合、光パワーの値はＰ１からＰ２にかけて増えている。このような場合、算出部３３７は、Ｓ´１〜Ｓ´２についてΔＰは正数であるとして透過特性を算出できる。一方、Ｐ５とＰ６などの隣接する箇所の光パワーを比較した場合、光パワーの値はＰ５からＰ６にかけて減っている。このような場合、算出部３３７は、Ｓ´５〜Ｓ´６についてΔＰは負の数であるとし、Ｓ´５〜Ｓ´６の値に反数処理をし、透過特性を算出できる。
【００７４】
図７は、測定部及び算出部の処理の例を説明する図（その２）である。図７の例では、Ｐ１〜Ｐ１１の１１箇所の中心周波数の光パワーを測定し、透過特性例５１０のような相対周波数に応じた透過特性を得ようとする。透過特性例４１０と異なり、透過特性例５１０では光パワーの増減が繰り返されている。透過特性例５１０に対応して実際にフォトダイオード３３２で取得できるＳ´１（ΔＰ１／Δｆ）〜Ｓ´１１（ΔＰ１１／Δｆ）の例を、透過特性スロープ例５２０で示す。
【００７５】
実際にフォトダイオード３３２で検出されたＣＷ光の光パワーを測定部３３６が測定する場合、光パワーの振幅成分であるΔＰは正数である。同様に、透過特性における傾きを示すΔＰ／Δｆは、正数である。そのため、透過特性スロープ例５２０のように、全ての相対周波数において、Ｓ´１（ΔＰ１／Δｆ）〜Ｓ´１１（ΔＰ１１／Δｆ）が正となっている。すると、算出部３３７は、Ｐ４、Ｐ５、Ｐ９、Ｐ１０、Ｐ１１の傾きが減少傾向にあるか増加傾向にあるか判定できず、式２、式７を用いた正しい透過特性の算出ができなくなる。
【００７６】
そのため、本実施形態に係る測定装置では、正しい透過特性を算出するためにＣＷ光にＦＭ変調波形を用いた変調をする。ＦＭ変調波形は、ＦＭ変調波形例４４０に示すような波であり、ｆＨ〜ｆＬの周波数幅を持つ。ここで、ｆＨ〜ｆＬの周波数の差分がΔｆである。
【００７７】
送信部３２０のＣＷ光源３２３は、ＦＭ変調波形例４４０の波が重畳されたＣＷ光を出力する。周波数変調部３２３は、ＣＷ光の周波数変調をする（中心周波数を制御する）。その後、該ＣＷ光は伝送路を介して受信部３３０に送信される。すると、受信部３３０のＡＤ変換部３３３では、ＣＷ光からＦＭ変調波形例４５０又はＦＭ変調波形例４６０が得られる。ＦＭ変調波形例４５０は、Ｓ´１（ΔＰ１／Δｆ）〜Ｓ´３（ΔＰ３／Δｆ）、Ｓ´６（ΔＰ６／Δｆ）〜Ｓ´８（ΔＰ８／Δｆ）の場合に得られる波形である。そのため、算出部３３７は、ＦＭ変調波形例４５０の場合、ΔＰは正数であるとして透過特性を算出する。算出部３３７の算出結果、透過特性は透過特性スロープ例５２０のＳ´１〜Ｓ´３、Ｓ´６〜Ｓ´８と同じで透過特性スロープ例５３０のＳ´１〜Ｓ´３、Ｓ´６〜Ｓ´８のようになる。
【００７８】
一方、ＦＭ変調波形例４６０は、Ｓ´４（ΔＰ４／Δｆ）〜Ｓ´５（ΔＰ６／Δｆ）、Ｓ´９（ΔＰ９／Δｆ）〜Ｓ´１１（ΔＰ１１／Δｆ）の場合に得られる波形である。算出部３３７は、ＦＭ変調波形例４６０の場合、ΔＰは負の数であるとして透過特性を算出する。算出部３３７の算出結果、透過特性は透過特性スロープ例５２０のＳ´４〜Ｓ´５、Ｓ´９〜Ｓ´１１の値に反数処理をし、透過特性スロープ例５３０Ｓ´４〜Ｓ´５、Ｓ´９〜Ｓ´１１とする。
【００７９】
このようにフォトダイオード３３２は、検出するＣＷ光の光パワーは正数であるが、ＣＷ光にＦＭ変調波形を変調し、受信部が受信するＦＭ変調波形が反転しているかを判定することで、ΔＰが正か負であるかを判定できる。
【００８０】
図８は、送信部及び受信部のハードウェア構成の例を示す。送信部３２０と受信部３３０とは同様のハードウェア構成を備える。送信部３２０と受信部３３０は、ＣＰＵ（Ｃｅｎｔｒａｌ  Ｐｒｏｃｅｓｓｉｎｇ  Ｕｎｉｔ）６０１、記憶装置６０２、通信インターフェース（Ｉ／Ｆ）６０３と、入力装置６０４と表示装置６０５を備えている。また、各構成部はバス６００によってそれぞれ接続されている。
【００８１】
ＣＰＵ６０１は、送信部３２０において、光周波数制御部３２４として動作することができる。受信部３３０において、ＡＤ変換部３３３、ＤＣ成分抽出部３３５、ＡＣ成分抽出部３３４、測定部３３６、算出部３３７として動作することができる。なお、ＣＰＵ６０１は、記憶装置６０２に記憶されたプログラムを実行することができる。記憶装置６０２は、ＣＰＵ６０１の動作によって得られたデータや、ＣＰＵ６０１の処理に用いられるデータも、適宜、記憶する。通信Ｉ／Ｆ６０３は、送信部３２０と受信部３３０の間の通信に使用される。
【００８２】
入力装置６０４は、ユーザ操作によりデータ入力が可能である。表示装置６０５は、各種データを表示するディスプレイである。
【００８３】
図９は、本実施形態に係る送信部と受信部の処理の例を説明するフローチャートである。周波数変調部３２２には、周波数変調量Δｆが設定される（ステップＳ１０１）。光周波数制御部３２４は、ＣＷ光源３２３から出力されるＣＷ光の中心周波数を制御する（ステップＳ１０２）。ＣＷ光源３２３はＣＷ光を出力する（ステップＳ１０３）。周波数変調部３２２と偏波変調部３２１は、ＣＷ光を変調処理、偏波処理をする（ステップＳ１０４）。送信部３２０内で変調されたＣＷ光は、伝送路に送信される（ステップＳ１０５）。
【００８４】
受信部３３０のフォトダイオード３３２は、透過光パワーと振幅成分ΔＰを検出する（ステップＳ１０６）。測定部３３６は、フォトダイオード３３２が検出した透過光パワーに基づいて、周波数成分、光パワーの平均値、振幅成分ΔＰなどを測定する（ステップＳ１０７）。算出部３３７は、透過特性を算出する（ステップＳ１０８）。算出部３３７は、平均パワーが所定の閾値よりも大きいかを判定する（ステップＳ１０９）。
【００８５】
平均パワーが所定の閾値よりも大きい場合（ステップＳ１０９でＹＥＳ）、通知部３３８は、透過特性の傾き（ΔＰ／Δｆ）を光周波数制御部３２４に通知する（ステップＳ１１０）。光周波数制御部３２４は、透過特性の傾き（ΔＰ／Δｆ）に基づいて、ステップＳ１０２で使用した中心周波数からの周波数変化量を制御する（ステップＳ１１１）。ステップＳ１１１の処理が終了すると、送信部３２０は、処理をステップＳ１０２から繰り返す。
【００８６】
平均パワーが所定の閾値よりも小さい場合（ステップＳ１１９でＮＯ）、通知部３３８は、測定処理を終了することを光周波数制御部３２４に通知する（ステップＳ１１２）。ステップＳ１１２の処理が終了すると、送信部３２０と受信部３３０は、処理を終了する。
【００８７】
このように、複数の中心周波数の光パワーの傾き（ΔＰ／Δｆ）と、光パワーの平均値とから、透過特性を算出することで、周波数帯の光パワーを測定する手間を省くことができる。そのため、本実施形態に係る透過特性の算出方法を用いることで、測定回数を抑え、短時間で精度良く光透過特性を求めることができる。
【００８８】
図１０は、光周波数制御部の処理の例を説明する図である。透過特性例６１０は、中心周波数を所定の間隔で変更しながら光パワーを測定した場合の例である。透過特性例６１０において、縦軸が透過した光パワーを示し、横軸が相対周波数を示す。中心周波数を所定の間隔で変更しながら光パワーを測定する透過特性例６１０では、光パワーが変更しない中央部分では、無駄な測定が行われている。
【００８９】
透過特性例６２０では、透過特性の傾き（ΔＰ／Δｆ）がある部分（両端）について光パワーを測定し、中央の透過特性の傾き（ΔＰ／Δｆ）がない部分については光パワーの測定回数を減らした場合の例である。透過特性例６２０の例を実現するために、受信部３３０の通知部３３８は、透過特性の傾き（ΔＰ／Δｆ）の情報を、送信部３２０の光周波数制御部３２４に通知する。光周波数制御部３２４は、透過特性の傾き（ΔＰ／Δｆ）の値に基づいて、中心周波数の周波数変更量を制御する。光周波数制御部３２４は、透過特性の傾き（ΔＰ／Δｆ）の値が大きい場合、中心周波数の変更量を小さくする。一方、光周波数制御部３２４は、透過特性の傾き（ΔＰ／Δｆ）の値が小さい場合、中心周波数の変更量を大きくする。
【００９０】
本実施形態では、透過特性例６１０のように所定の中心周波数間隔で光パワーを測定することで透過特性を算出する。そして、中心周波数の間の透過特性を式１〜式１０などを用いて算出することで、測定装置は、測定回数を抑え、短時間で精度よく光透過特性を求めることができる。
【００９１】
更に、本実施形態では、透過特性例６２０のように透過特性の傾きに基づいて中心周波数の変更量を変更しながら光パワーを測定してもよい。そして、中心周波数の間の透過特性を式１〜式１０を用いて算出することで、測定装置は、透過特性例６１０よりも更に、測定回数を抑え、短時間で精度よく光透過特性を求めることができる。
【００９２】
＜別の実施形態に係る測定装置＞
図１〜図１０で説明した測定装置では、受信部３３０は、光チャネルモニタ（ＯＣＭ：Ｏｐｔｉｃａｌ  Ｃｈａｎｎｅｌ  Ｍｏｎｉｔｏｒ）などで実現される。ＯＣＭの測定精度は、周波数でプラスマイナス数ＧＨｚあり、又、光パワーでプラスマイナス数ｄＢ単位の誤差がある。上述のように、ＯＣＭの周波数における測定精度は低い。
【００９３】
そのため、別の実施形態では、受信部３３０にＰＢＮモニタを用いる。ここで、光チャネルモニタは、受信部側でＣＷ光の周波数を測定できる。ＰＢＮモニタはＣＷ光の周波数を測定できない。
【００９４】
図１１は、別の実施形態に係るＰＢＮモニタの構成の例を説明する図である。別の実施形態において、受信部７００はＰＢＮモニタである。受信部７００は、図５の受信部３３０に変わってＲＯＡＤＭノード３１０ｃに接続されればよい。
【００９５】
受信部７００は。光バンドパスフィルタ７０６、フォトダイオード７０１、ＡＤ変換部７０２、ＡＤ変換部７０３、処理部７０４、通知部７０５を備える。光バンドパスフィルタ７０６は、受信したＣＷ光の内の特定の波長帯の光を透過する。フォトダイオード７０１は、送信部３２０から送信されてきたＣＷ光の光パワーを検出する。ＡＤ変換部７０２は、アナログ信号をデジタル信号に変換し、ＣＷ光のＤＣ成分を抽出する。ＡＤ変換部７０３は、アナログ信号をデジタル信号に変換し、ＣＷ光のＡＣ成分を抽出する。処理部７０４は、ＡＤ変換部７０２とＡＤ変換部７０３の変換結果を測定し、透過特性を算出する。通知部７０５は、透過特性の傾きを送信部３２０側に通知する。
【００９６】
図１２は、ＦＳＫ変調周波数を用いた測定装置の処理の例を説明する図である。別の実施形態において、送信部３２０のＣＷ光源３２３において、ＦＳＫ（Ｆｒｅｑｕｅｎｃｙ  Ｓｈｉｆｔ  Ｋｅｙｉｎｇ）変調周波数変調されたＣＷ光を出力する。
【００９７】
ＣＷ光透過特性例８１０は、受信部７００が受信するＣＷ光の透過特性の例である。これは図４の透過特性の例と同じものである。ＣＷ光パワー例８２０は、波形例２２０ｂと同じである。しかし、別の実施形態に係るＣＷ光は、ＦＳＫ変調周波数で変調されている。
【００９８】
ＦＳＫ変調周波数は、ＣＷ光のＡＣ成分に含まれており、ＡＤ変換部７０３は、ＣＷ光から該ＡＣ成分を抽出する。処理部７０４は、抽出されたＡＣ成分をフーリエ変換することで、ＣＷ光からＦＳＫ変調周波数を取得することができる。更に処理部７０４は該ＦＳＫ変調周波数からＣＷ光中心周波数の数値を取得することができる。
【００９９】
ＯＣＭであれば測定部３３６が中心周波数を測定できるものの、ＰＢＮモニタでは、中心周波数を測定できないため、このようにＦＳＫ変調周波数で変調されたＣＷ光のＡＣ成分から周波数情報を取り出す。
【０１００】
このように、ＦＳＫ変調周波数で変調されたＣＷ光のＡＣ成分からFSK変調周波数情報を取得することで、ＣＷ光の中心周波数を算出できる。
【０１０１】
図１３は、ＦＳＫ変調周波数を用いた測定装置の処理の例を説明するフローチャートである。光周波数制御部３２４は、ＦＳＫ変調周波数変調するようＣＷ光源に設定する（ステップＳ２０１）。光周波数制御部３２４は、ＣＷ光源３２３から出力されるＣＷ光の中心周波数を制御する（ステップＳ２０２）。ＣＷ光源３２３はＣＷ光を出力する（ステップＳ２０３）。周波数変調部３２２と偏波変調部３２１は、ＣＷ光を変調処理、偏波処理をする（ステップＳ２０４）。送信部３２０内で変調されたＣＷ光は、伝送路に送信される（ステップＳ２０５）。
【０１０２】
受信部７００のフォトダイオード７０１は、透過光パワーと振幅成分ΔＰ、ＦＳＫ変調周波数を検出する（ステップＳ２０６）。処理部７０４は、透過特性を算出する（ステップＳ２０７）。処理部７０４は、平均パワーが所定の閾値よりも大きいかを判定する（ステップＳ２０８）。
【０１０３】
平均パワーが所定の閾値よりも大きい場合（ステップＳ２０８でＹＥＳ）、通知部７０５は、透過特性の傾き（ΔＰ／Δｆ）を光周波数制御部３２４に通知する（ステップＳ２０９）。光周波数制御部３２４は、透過特性の傾き（ΔＰ／Δｆ）に基づいて、ステップＳ１０２で使用した中心周波数からの周波数変化量とＦＳＫ変調周波数を制御する（ステップＳ２１０）。ステップＳ２１０の処理が終了すると、送信部３２０は、処理をステップＳ１０１から繰り返す。
【０１０４】
平均パワーが所定の閾値よりも小さい場合（ステップＳ２０８でＮＯ）、通知部７０５は、測定処理を終了することを光周波数制御部３２４に通知する（ステップＳ２１１）。ステップＳ２１１の処理が終了すると、送信部３２０と受信部７００は、処理を終了する。
【符号の説明】
【０１０５】
１０１  光主信号部
１０２  波長多重部
１０３  ネットワーク制御装置
１１０、１１０ａ〜１１０ｎ  ＲＯＡＤＭノード
１１１  受信機
１１２  送信機
２０１  送信部
２０２  ＲＯＡＤＭノード
２０３  受信部
２０４  伝送路
３２０  送信部
３２１  偏波変調部
３２２  周波数変調部
３２３  ＣＷ光源
３２４  光周波数制御部
３３０  受信部
３３１  光バンドパスフィルタ
３３２  フォトダイオード
３３３  ＡＤ変換部
３３４  ＡＣ成分抽出部
３３５  ＤＣ成分抽出部
３３６  測定部
３３７  算出部
３３８  通知部
３５０  測定装置
３６０  ＷＸＣ／ＰＸＣ
【図１】
0006547512.tif 000012
【図２】
0006547512.tif 000013
【図３】
0006547512.tif 000014
【図４】
0006547512.tif 000015
【図５】
0006547512.tif 000016
【図６】
0006547512.tif 000017
【図７】
0006547512.tif 000018
【図８】
0006547512.tif 000019
【図９】
0006547512.tif 000020
【図１０】
0006547512.tif 000021
【図１１】
0006547512.tif 000022
【図１２】
0006547512.tif 000023
【図１３】
0006547512.tif 000024